【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
生物材料から物質を抽出する方法であって、
天然に存在する生物材料を天然起源の深共融溶剤または天然起源のイオン液体からなる抽出剤を用いて処理して前記深共融溶剤または前記イオン液体に溶解した天然起源の生物抽出物を生成し、その際に前記深共融溶剤は、少なくとも１種類の天然に存在する有機酸もしくは少なくとも１種類の無機化合物と、少なくとも１種類の天然に存在する単糖もしくは二糖、糖アルコール、アミノ酸、ジ−もしくはトリアルカノールとの組み合わせに基づくものであるか、あるいはフラクトース、グルコースおよびスクロースの組合せ、またはスクロースおよびグルコースの組合に基づくものであることを特徴とする方法。
【請求項２】
請求項１記載の方法であって、
前記天然起源の生物抽出物は非重合性化合物であり、食品用途、医薬品用途、化粧品用途、化学品用途または農薬用途における中間体または製品として使用可能なものである方法。
【請求項３】
請求項１記載の方法であって、
前記天然起源の生物抽出物は、非重合性化合物であり、ＲＮＡ、ＤＮＡ、タンパク、トキシン、ワクチン、および多糖類から成る群より選択される方法。
【請求項４】
請求項１〜３のいずれか一項記載の方法であって、
前記糖または前記糖アルコールは、スクロース、グルコース、フラクトース、ラクトース、マルトース、セロビオース、アラビノース、リボース、リブロース、ガラクトース、ラムノース、ラフィノース、キシロース、マンノース、トレハロース、マンニトール、ソルビトール、イノシトール、キシリトール、リビトール、ガラクチトール、エリスリトール、およびアドニトール、並びにそれらのリン酸塩から選択される方法。
【請求項５】
請求項１〜４のいずれか一項記載の方法であって、
前記有機酸は、リンゴ酸、マレイン酸、クエン酸、乳酸、ピルビン酸、フマール酸、コハク酸、酢酸、アコニチン酸、酒石酸、マロン酸、アスコルビン酸、グルクロン酸、蓚酸、ノイラミン酸、およびシアール酸から選択される方法。
【請求項６】
請求項１記載の方法であって、
前記抽出剤中にさらに水が存在する方法。
【請求項７】
請求項１〜６のいずれか一項記載の方法であって、
前記深共融溶剤は、少なくとも１種類の無機化合物および少なくとも１種類の糖の組み合わせに基づくものである方法。
【請求項８】
請求項１〜７のいずれか一項記載の方法であって、
前記無機化合物は、リン酸塩、硫酸塩、亜硫酸塩およびハロゲン化物から選択される方法。
【請求項９】
請求項８記載の方法であって、
前記無機化合物は、ＮａＨ２ＰＯ４、Ｎａ２ＨＰＯ４，ＮａＨＳＯ３、Ｎａ２ＳＯ４，ＣａＣｌ２，ＭｇＣｌ２，ＫＣｌ、ＮａＣｌおよびＫＩから選択される方法。
【請求項１０】
請求項１〜３のいずれか一項記載の方法であって、
前記イオン液体は、アニオンとしては、リンゴ酸、マレイン酸、クエン酸、乳酸、ピルビン酸、フマール酸、コハク酸、酢酸、アコニチン酸、酒石酸、アスコルビン酸、マロン酸、グルクロン酸、蓚酸、ノイラミン酸、およびシアール酸から選択される天然に存在するアニオンに基づくものである方法。
【請求項１１】
請求項１〜３および１０のいずれか一項記載の方法であって、
前記イオン液体は、カチオンとしては、γ−アミノ酪酸、ベタライン、グルコサミン、アラニン、グルタミン酸、グルタメート、アスパラギン、アスパラギン酸、アラニン、リジン、アルギニン、プロリン、スレオニン、プトレシン、およびカダベリンから成る群より選択される天然に存在するカチオンに基づくものである方法。
【請求項１２】
請求項１〜１１のいずれか一項記載の方法であって、
前記天然起源の深共融溶剤は融点が２５℃未満である方法。
【請求項１３】
請求項１〜１２のいずれか一項記載の方法であって、
前記生物抽出物は、前記溶剤または前記イオン液体から回収される方法。
【請求項１４】
請求項１〜１３のいずれか一項記載の方法であって、
前記生物材料は植物、昆虫、動物または微生物に基づくものである方法。
【請求項１５】
請求項１４記載の方法であって、
前記抽出物は、フラボノイド（例えば、ルチンおよびケルセチン）、アントシアニン、色素、アルカロイド、テルペノイド、フェニルプロパノイド、グリコシド、フェノール化合物、ギンコライド、カルタミン、アントラキノン、パクリタクセル、タキソイド、リグナン、クマリン、アザジラクチン、アルテミシニン、ホップ苦味酸、カンナビノイド、バニリン、ポリケチド、香味料、香料、染料、殺生物剤、あるいはこれらの化合物の任意の混合物である方法。
【請求項１６】
請求項１５記載の方法であって、
前記抽出物は、桂皮酸または桂皮酸誘導体である方法。
【請求項１７】
請求項１〜１６のいずれか一項記載の方法であって、
前記深共融溶剤は、モル比１：１：１：１１のフラクトース、グルコース、スクロース、および水、モル比５：１：２のラクトース、グルコースおよび水、モル比１：１：３のリンゴ酸、アラニンおよび水、モル比１：１：３のリンゴ酸、プロリンおよび水、またはモル比５／４：１：８のＣａＣｌ2、グルコースおよび水に基づくものである方法。
【請求項１８】
天然起源の深共融溶剤または天然起源のイオン液体からなり、前記深共融溶剤またはイオン液体中に溶解された天然起源の生物抽出物を製造する抽出剤であって、
前記深共融溶剤は、少なくとも１種類の天然に存在する有機酸もしくは少なくとも１種類の無機化合物と、少なくとも１種類の天然に存在する単糖もしくは二糖、糖アルコール、アミノ酸、ジ−もしくはトリアルカノールとの組み合わせに基づくものであるか、あるいはフラクトース、グルコースおよびスクロースの組合せ、またはスクロースおよびグルコースの組合せに基づくものである抽出剤。
【請求項１９】
請求項１８記載の抽出剤であって、
前記深共融溶剤は、モル比１：１：１：１１のフラクトース、グルコース、スクロース、および水、モル比５：１：２のラクトース、グルコースおよび水、モル比１：１：３のリンゴ酸、アラニンおよび水、モル比１：１：３のリンゴ酸、プロリンおよび水、またはモル比５／４：１：８のＣａＣｌ2、グルコースおよび水に基づくものである抽出剤。
【手続補正２】
【補正対象書類名】明細書
【補正対象項目名】００１３
【補正方法】変更
【補正の内容】
【００１３】
イオン類に加えて、糖に基づく液体も深共融溶剤であり得る。
【手続補正３】
【補正対象書類名】明細書
【補正対象項目名】００１６
【補正方法】変更
【補正の内容】
【００１６】
本発明において使用される好適な深共融溶剤、すなわち、天然起源の材料の混合物は少なくとも２種の混合物に基づいており、実質的に化学結合またはイオン結合を持たない。上記溶剤の第１の成分は、好ましくは、少なくとも１種の天然に存在する有機酸、または塩のような無機化合物から選ばれる。
【手続補正４】
【補正対象書類名】明細書
【補正対象項目名】００１８
【補正方法】変更
【補正の内容】
【００１８】
前記糖または糖アルコールは、スクロース（ｓｕｃｒｏｓｅ）、グルコース（ｇｌｕｃｏｓｅ）、フラクトース（ｆｒｕｃｔｏｓｅ）、ラクトース（ｌａｃｔｏｓｅ）、マルトース（ｍａｌｔｏｓｅ）、セロビオース（ｃｅｌｌｏｂｉｏｓｅ）、アラビノース（ａｒａｂｉｎｏｓｅ）、リボース（ｒｉｂｏｓｅ）、リブロース（ｒｉｂｕｌｏｓｅ）、ガラクトース（ｇａｌａｃｔｏｓｅ）、ラムノース（ｒｈａｍｎｏｓｅ）、ラフィノース（ｒａｆｆｉｎｏｓｅ）、キシロース（ｘｙｌｏｓｅ）、マンノース（ｍａｎｎｏｓｅ）、トレハロース（ｔｒｅｈａｌｏｓｅ）、マンニトール（ｍａｎｎｉｔｏｌ）、ソルビトール（ｓｏｒｂｉｔｏｌ）、イノシトール（ｉｎｏｓｉｔｏｌ）、リビトール（ｒｉｂｉｔｏｌ）、ガラクチトール（ｇａｌａｃｔｉｔｏｌ）、エリスリトール（ｅｒｙｔｈｒｉｔｏｌ）、キシリトール（ｘｙｌｅｔｏｌ）およびアドニトール（ａｄｏｎｉｔｏｌ）、並びにそれらのリン酸塩から選ばれてもよい。
【手続補正５】
【補正対象書類名】明細書
【補正対象項目名】００１９
【補正方法】変更
【補正の内容】
【００１９】
前記有機酸は、リンゴ酸（ｍａｌｉｃ ａｃｉｄ）、マレイン酸（ｍａｌｅｉｃ ａｃｉｄ）、クエン酸（ｃｉｔｒｉｃ ａｃｉｄ）、乳酸（ｌａｃｔｉｃ ａｃｉｄ）、ピルビン酸（ｐｙｒｕｖｉｃ ａｃｉｄ）、フマール酸（ｆｕｍａｒｉｃ ａｃｉｄ）、コハク酸（ｓｕｃｃｉｎｉｃ ａｃｉｄ）、酢酸（ａｃｅｔｉｃ ａｃｉｄ）、アコニチン酸（ａｃｏｎｉｔｉｃ ａｃｉｄ）、酒石酸（ｔａｒｔａｒｉｃ ａｃｉｄ）、マロン酸（ｍａｌｏｎｉｃ ａｃｉｄ）、アスコルビン酸（ａｓｃｏｒｂｉｃ ａｃｉｄ）、グルクロン酸（ｇｌｕｃｕｒｏｎｉｃ ａｃｉｄ）、蓚酸（ｏｘａｌｉｃ ａｃｉｄ）、ノイラミン酸（ｎｅｕｒａｍｉｎｉｃ ａｃｉｄ）、およびシアール酸（ｓｉａｌｉｃ ａｃｉｄ）から選ばれる。
【手続補正６】
【補正対象書類名】明細書
【補正対象項目名】００２６
【補正方法】変更
【補正の内容】
【００２６】
好適なイオン液体は、アニオンとしては、リンゴ酸（ｍａｌｉｃ ａｃｉｄ）、マレイン酸（ｍａｌｅｉｃ ａｃｉｄ）、クエン酸（ｃｉｔｒｉｃ ａｃｉｄ）、乳酸（ｌａｃｔｉｃ ａｃｉｄ）、酒石酸（ｔａｒｔａｒｉｃ ａｃｉｄ）、グルコサミン（ｇｌｕｃｏｓａｍｉｎｅ）、グルクロン酸（ｇｌｕｃｕｒｏｎｉｃ ａｃｉｄ）、ノイラミン酸（ｎｅｕｒａｍｉｎｉｃ ａｃｉｄ）およびシアール酸（ｓｉａｌｉｃ ａｃｉｄ）から成る群より選ばれる天然に存在するアニオンに基づいている。
【手続補正７】
【補正対象書類名】明細書
【補正対象項目名】００２７
【補正方法】変更
【補正の内容】
【００２７】
上述のイオン液体は、さらに、カチオンとしては、コリン（ｃｈｏｌｉｎｅ）、ベタイン（ｂｅｔａｉｎｅ）、ベタニン（ｂｅｔａｎｉｎｅ）、γ−アミノ酪酸（ｇａｍｍａ−ａｍｉｎｏｂｕｔｙｒｉｃ ａｃｉｄ）、ベタライン（ｂｅｔａｌａｉｎｅ）、アセチルコリン（ａｃｅｔｙｌｃｈｏｌｉｎｅ）、グルコサミン（ｇｌｕｃｏｓａｍｉｎｅ）、グルタミン（ｇｌｕｔａｍｉｎｅ）、グルタメート（ｇｌｕｔａｍａｔｅ）、アスパラギン（ａｓｐａｒａｇｉｎｅ）、アスパラギン酸（ａｓｐａｒｔｉｃ ａｃｉｄ）、アラニン（ａｌａｎｉｎｅ）、リジン（ｌｙｓｉｎｅ）、アルギニン（ａｒｇｉｎｉｎｅ）、プロリン（ｐｒｏｌｉｎｅ）、スレオニン（ｔｈｒｅｏｎｉｎｅ）、プトレシン（ｐｕｔｒｅｓｃｉｎｅ）、カダベリン（ｃａｄａｖｅｒｉｎｅ）、およびコリン誘導体（ｃｈｏｌｉｎｅ ｄｅｒｉｖａｔｉｖｅｓ）から成る群より選ばれる天然に存在するカチオンに基づいている。